(57)【要約】【課題】耐震性を高めつつ、効率よく組立を行う。【解決手段】互いに隣接する二本の支柱１２，１２の上端部どうしを連結する上部連結材１４は、棒状の連結バー４０と、連結バー４０の両端部４０ａにそれぞれ設けられて支柱１２の上端部に係止される係止部４１と、を備え、係止部４１は、連結バー４０の端部４０ａから連結バー４０の軸線方向に直交する方向に延び、支柱１２の内部空間に挿入されて支柱１２の内周面に沿い、被締結部４７が形成された挿入片４６と、連結バー４０の端部４０ａから挿入片４６と間隔を隔てて平行に延び、支柱１２の外周面に沿うサポート片４８と、互いに直交するサポート片４８と連結バー４０との間に設けられた補強部材４９と、サポート片４８と支柱１２とを貫通し、挿入片４６の被締結部４７に締結される締結部材５６と、を備える。【選択図】図６
2014079272.tif 000002
【特許請求の範囲】
【請求項１】
床面に沿って延び、前記床面上に間隔を隔てて二本一対で設置されるベース脚と、
それぞれの前記ベース脚上に設けられて上方に延び、棚板が装着可能とされた中空筒状の支柱と、
互いに隣接する二本の前記支柱の上端部どうしを連結する上部連結材と、
互いに隣接する二本の前記支柱どうしを下部にて連結する下部連結材と、を備え、
前記上部連結材は、棒状の連結バーと、前記連結バーの両端部にそれぞれ設けられて前記支柱の上端部に係止される係止部と、を備え、
前記係止部は、
前記連結バーの端部から該連結バーの軸線方向に直交する方向に延び、前記支柱の内部空間に挿入されて前記支柱の内周面に沿い、被締結部が形成された挿入片と、
前記連結バーの端部から前記挿入片と間隔を隔てて平行に延び、前記支柱の外周面に沿うサポート片と、
互いに直交する前記サポート片と前記連結バーとの間に設けられた補強部材と、
前記サポート片と前記支柱とを貫通し、前記挿入片の前記被締結部に締結される締結部材と、
を備えることを特徴とする物品陳列棚。
【請求項２】
前記連結バーは、中空筒状とされ、
前記挿入片は、前記連結バー内に挿入されて該連結バーの内周面に固定される本体部と一体に形成されていることを特徴とする請求項１に記載の物品陳列棚。
【請求項３】
前記連結バーの下面に切欠きまたは開口部が形成され、
前記補強部材は、前記切欠きまたは前記開口部からオフセットした位置で前記連結バーの下面に固定されていることを特徴とする請求項２に記載の物品陳列棚。
【請求項４】
前記サポート片と前記補強部材とが一体化され、前記連結バーの下面に固定されていることを特徴とする請求項１から３のいずれか一項に記載の物品陳列棚。
【発明の詳細な説明】
【技術分野】
【０００１】
本発明は、店舗等において物品の展示のために設置される物品陳列棚に関する。
【背景技術】
【０００２】
店舗において商品等の物品を展示するための物品陳列棚は、その設置や移動、ディスプレイ方法の変更等を容易に行えるよう、支柱、脚、棚板等からなる組立式のものが多用されている。
【０００３】
このような物品陳列棚においては、床面上に間隔を隔てて二本一対で設置されるベース脚上に、それぞれ上方に延びる支柱が立設され、互いに隣接する二本の支柱どうしが、その上部と下部とでそれぞれ連結バーにより連結される。
【０００４】
ここで、支柱の上端部に連結される連結バーは、中空の支柱の上端部に溝が形成され、この溝に、連結バーの端部に設けられたフックが係止されている。
そして、物品陳列棚の耐震性を高めるため、支柱の上端部にフックが係止された連結バーが容易に脱落しないよう、中空の支柱にキャップや止め具を嵌め込むことが行われている（例えば、特許文献１〜４参照。）。
【０００５】
しかしながら、特許文献１〜４に記載の技術は、支柱および上下の連結バーに、物品陳列棚の各棚の背面を塞ぐ背面板を設けることを前提している。背面板を支柱及び連結バーに固定することによって、支柱と連結バーとの接続部が背面板に沿った面内で変位するのを防ぐ補強効果が得られる。したがって、背面板を備えない場合には、支柱と連結バーとの接続強度が不足する可能性があり、耐震性の面で、改善が望まれる。
【０００６】
これに対し、特許文献５には、支柱と連結バーとの接続部に、Ｌ字状をなした連結部材を配置した構成が提案されている。この連結部材は、支柱と連結バーのそれぞれに突き当てた当接片に雄ねじ部を貫通させ、この雄ねじ部にナットをねじ込むことによって、支柱と連結バーのそれぞれに締結されている。
このように、支柱と連結バーが交差する隅部に連結部材を設けることで、支柱と連結バーの接続強度が高められ、支柱と連結バーとの接続部が背面板に沿った面内で変位するのを有効に防ぐことが可能となっている。
【０００７】
ところで、支柱や連結バーが中空の筒状である場合、連結部材との締結に通常のボルト・ナットを用いようとすると、筒状の支柱や連結バーの中空空間内にボルトまたはナットを配置する必要があり、作業が非常に困難となる。そこで、特許文献５では、雄ねじ部の一端にフックを設け、このフックを支柱に形成された係合孔に係止する構成を採用している。
【先行技術文献】
【特許文献】
【０００８】
【特許文献１】特開２００５−１９２７６５号公報
【特許文献２】特許第３９９５２２１号公報
【特許文献３】特開平８−３１７８３９号公報
【特許文献４】特開平１１−１５５７０９号公報
【特許文献５】特開２００５−１９２７６７号公報
【発明の概要】
【発明が解決しようとする課題】
【０００９】
しかしながら、上記特許文献５に記載の技術においては、一端にフックを設けた雄ねじ部が特殊な部品であるため、その製作に手間が掛かる。
また、物品陳列棚の組立現場においては、連結部材を、支柱と連結バーのそれぞれに、雄ねじ部とナットによって締結する必要があり、その作業に手間が掛かる。さらに、組立途中において、雄ねじ部とナットを完全に締め込まない状態では、支柱に対して、連結部材、連結バーが固定できずに不安定となり、作業がしにくいという問題もある。
【００１０】
そこでなされた本発明の目的は、耐震性を高めつつ、効率よく組立を行うことのできる物品陳列棚を提供することである。
【課題を解決するための手段】
【００１１】
本発明は、上記課題を解決するため、以下の手段を採用する。
すなわち、本発明の物品陳列棚は、床面に沿って延び、前記床面上に間隔を隔てて二本一対で設置されるベース脚と、それぞれの前記ベース脚上に設けられて上方に延び、棚板が装着可能とされた中空筒状の支柱と、互いに隣接する二本の前記支柱の上端部どうしを連結する上部連結材と、互いに隣接する二本の前記支柱どうしを下部にて連結する下部連結材と、を備え、前記上部連結材は、棒状の連結バーと、前記連結バーの両端部にそれぞれ設けられて前記支柱の上端部に係止される係止部と、を備え、前記係止部は、前記連結バーの端部から該連結バーの軸線方向に直交する方向に延び、前記支柱の内部空間に挿入されて前記支柱の内周面に沿い、被締結部が形成された挿入片と、前記連結バーの端部から前記挿入片と間隔を隔てて平行に延び、前記支柱の外周面に沿うサポート片と、互いに直交する前記サポート片と前記連結バーとの間に設けられた補強部材と、前記サポート片と前記支柱とを貫通し、前記挿入片の前記被締結部に締結される締結部材と、を備えることを特徴とする。
上部連結材を構成する連結バーを支柱に連結するときには、連結バーの端部に設けられた係止部の挿入片を支柱の内部空間に挿入し、サポート片を支柱の外周に沿わせた状態とする。これにより連結バーが支柱に仮係止される。そして、この状態で、締結部材を、サポート片と支柱とに貫通させ、支柱内に位置する挿入片の被締結部に締結することで、連結バーを支柱に本固定することができる。
また、連結バーを支柱に本固定した状態では、挿入片とサポート片とで支柱を挟み込み、さらに、互いに直交するサポート片と連結バーとの間に補強部材が設けられているので、支柱と上部連結材とを強固に接続することができる。
【００１２】
本発明は、前記連結バーは、中空筒状とされ、前記挿入片は、前記連結バー内に挿入されて該連結バーの内周面に固定される本体部と一体に形成されていることを特徴とするようにしても良い。
これにより、本体部を連結バー内に挿入して、連結バーの内周面に溶接等によって固定することによって、挿入片を容易かつ確実に連結バーの端部に設けることができる。
【００１３】
本発明は、前記サポート片と前記補強部材とが一体化され、前記連結バーの下面に固定されているようにしても良い。
サポート片と補強部材とを一体化することにより、サポート片および補強部材を容易に連結バーの端部に設けることができる。
【００１４】
本発明は、前記連結バーの下面に切欠きまたは開口部が形成され、前記補強部材は、前記切欠きまたは前記開口部からオフセットした位置で前記連結バーの下面に固定されていることを特徴とするようにしても良い。
これにより、本体部を連結バー内に挿入した状態で、切欠きまたは開口部を通して溶接器具を連結バー内に挿入し、本体部と溶接バーとの溶接作業を行うことができる。そして、溶接後には、切欠きまたは開口部からオフセットした位置において、補強部材を連結バーの下面に溶接等によって固定するため、切欠きまたは開口部が形成されていても、補強部材の固定にも支障は生じない。
【発明の効果】
【００１５】
本発明によれば、耐震性を高めつつ、効率よく組立を行うことが可能となる。
【図面の簡単な説明】
【００１６】
【図１】本実施形態に係る物品陳列棚の外観を示す斜視図である。
【図２】下部連結材と支柱との連結構造を示す立断面図である。
【図３】下部連結材を構成する連結バーの端部を示す三面図であり、（ａ）は平面図、（ｂ）は正面図、（ｃ）は右側面図である。
【図４】下部連結材を構成する連結金具を示す三面図であり、（ａ）は平面図、（ｂ）は正面図、（ｃ）は右側面図である。
【図５】上部連結材の係止部と支柱の上端部を示す斜視図である。
【図６】図５の正断面図である。
【図７】上部連結材の連結バーに対する第一金具部材と第二金具部材の組み付け状態を、連結バーの端面側から見た図である。
【図８】連結バーの端部を示す図であり、（ａ）は連結バーを端面側から見た図、（ｂ）は連結バーを下方から見た図である。
【図９】第一金具部材を示す三面図であり、（ａ）は平面図、（ｂ）は正面図、（ｃ）は右側面図である。
【図１０】第二金具部材を示す三面図であり、（ａ）は平面図、（ｂ）は正面図、（ｃ）は右側面図である。
【図１１】上部連結材を支柱に連結下状態を示す正断面図である。
【発明を実施するための形態】
【００１７】
以下、添付図面を参照して、本発明による物品陳列棚の実施形態を説明する。しかし、本発明はこの実施形態の態様に限定されるものではない。
図１に示すように、物品陳列棚１０は、床面に沿って延び、床面上に間隔を隔てて互いに平行に設置される二本一対のベース脚１１と、各ベース脚１１上に設けられて上方に延び、棚板が装着可能とされた二本一対の支柱１２，１２と、互いに隣接する二本の支柱１２，１２の下部どうしを互いに連結する下部連結材１３と、互いに隣接する二本の支柱１２，１２の上部どうしを互いに連結する上部連結材１４と、を備えている。互いに隣接する二本のベース脚１１，１１の先端部１１ｓ，１１ｓ間には、キックプレート１９を架け渡たすこともできる。
【００１８】
ベース脚１１は、床面に沿って延びる断面矩形の中空筒状で、その下面１１ａに床面に接地するパッド１５を備えている。
【００１９】
支柱１２は、断面矩形の中空筒状で、その前後面１２ｆ，１２ｒに、棚板等を係止するため、長手方向に所定の間隔をあけて略矩形状の係止孔１６が複数貫通形成されている。ここで、係止孔１６は、支柱の前後面１２ｆ，１２ｒの幅方向に２列に形成されている。これは、支柱１２の幅方向両側に棚板等のオプション部材が係止できるようにするためである。
また、支柱１２は、その両側面１２ａ，１２ａに、下部連結材１３、上部連結材１４等を係止するため、被係止部２０，５０が形成されている。
【００２０】
図２に示すように、下部連結材１３は、断面矩形の中空筒状をなした連結バー３０と、連結バー３０の両端部を支柱１２，１２に連結する連結金具３５と、を備えている。
【００２１】
図３に示すように、連結バー３０は、その両端部に係止フック３１が突出形成されている。また、連結バー３０には、支柱１２，１２間に配置した状態で上方を向く面３０ａに、連結バー３０の軸線方向に連続する溝３２が形成されている。
【００２２】
図４に示すように、連結金具３５は、長方形状のプレート部３６と、プレート部３６の幅方向両端からプレート部３６に直交する方向に略平行に延びる補強プレート部３７，３７とを備えている。また、プレート部３６の長手方向の一端３６ａには、プレート部３６の長手方向に沿って突出する突起３８が設けられている。プレート部３６の長手方向の他端３６ｂの近傍には、貫通孔３９が形成されている。
補強プレート部３７、３７は、プレート部３６の他端３６ｂ側から一端３６ａ側に向けて、プレート部３６に直交する方向の長さが漸次小さくなる、略三角形状をなしている。
【００２３】
図１、図２に示すように、上記の下部連結材１３を連結するため、支柱１２には、被係止部２０として、スリット２１と貫通孔２２とが形成されている。
図２に示すように、連結バー３０は、両端部の係止フック３１を、スリット２１内に挿入して係止させることによって、支柱１２，１２間に配置される。
連結金具３５は、支柱１２の側面１２ａに、プレート部３６を突き当てた状態で、突起３８が溝３２に挿入される。この状態で、プレート部３６の貫通孔３９と、支柱１２の貫通孔２２とにボルト２３を挿通させ、ボルト２３にナット２４をねじ込むことによって、支柱１２と連結金具３５とを締結する。
このようにして、下部連結材１３の両端部が支柱１２，１２に連結されるようになっている。
【００２４】
図５〜図７に示すように、上部連結材１４は、断面矩形の筒状をなした棒状の連結バー４０と、連結バー４０の両端部に設けられた係止金具（係止部）４１と、が一体に設けられている。係止金具４１は、第一金具部材４３と、第二金具部材４４と、からなる。
【００２５】
図６〜図８に示すように、連結バー４０は、断面矩形の管状で、所定の位置に組み付けた状態で下方を向く面（以下、下面と称する）４０ｕに、連結バー４０の軸線に直交する幅方向に所定幅ｗを有した矩形の切欠き部４２が形成されている。
【００２６】
図６、図７、図９に示すように、第一金具部材４３は、連結バー４０の端部４０ａ内に挿入されて固定される本体部４５と、本体部４５の一端から連結バー４０の軸線に直交する方向に延びる挿入片４６と、を備えて形成されている。このような第一金具部材４３は、金属プレートを折り曲げ加工することで形成できる。
【００２７】
本体部４５は、長方形状のベースプレート部４５ａと、ベースプレート部４５ａの幅方向両側からベースプレート部４５ａに直交する方向に略平行に延びる一対のサイドプレート部４５ｂ，４５ｂと、を備えている。
図７に示すように、ベースプレート部４５ａは、その幅寸法が、連結バー４０内に挿入できるよう、連結バー４０の管内４０ｂの幅寸法ｗ２よりも小さく、かつ切欠き部４２の幅ｗよりも大きくなるよう形成されている。
各サイドプレート部４５ｂは、ベースプレート部４５ａに直交する方向の高さが、連結バー４０の管内４０ｂの高さ寸法ｈとほぼ等しくなるよう形成されている。
【００２８】
このような本体部４５は、連結バー４０の両側の端部４０ａから、その管内４０ｂに挿入される。すると、サイドプレート部４５ｂ，４５ｂは、切欠き部４２の両側において、連結バー４０の内周部底面４０ｃ上に立脚し、ベースプレート部４５ａが、連結バー４０の内周部上面４０ｄに対向するようになっている。そして、ベースプレート部４５ａは、連結バー４０の内周部上面４０ｄに対し、スポット溶接等によって一体に接合されている。なお、ベースプレート部４５ａと連結バー４０とをスポット溶接するに際しては、連結バー４０の外周側と、管内４０ｂ側とから溶接機の電極をそれぞれ当てる必要があるが、管内４０ｂ側においては、連結バー４０に形成された切欠き部４２を通して電極をベースプレート部４５ａに突き当てることができる。
【００２９】
図６、図７、図９に示すように、挿入片４６は、本体部４５のベースプレート部４５ａから、ベースプレート部４５ａに直交する方向に延び、本体部４５のベースプレート部４５ａおよびサイドプレート部４５ｂ，４５ｂの双方に直交する面内に位置するよう形成されている。この挿入片４６の先端部４６ｂ近傍には、内周面にネジ溝が形成されたネジ孔４７が貫通形成されている。
図６に示すように、挿入片４６は、上記したように本体部４５が連結バー４０の管内４０ｂに溶接された状態で、連結バー４０の端面４０ｅと平行で、かつ端面４０ｅとの間に、支柱１２の側面１２ａの肉厚ｔとほぼ等しい寸法の間隔ｃを隔てて配置されている。
【００３０】
図６、図１０に示すように、第二金具部材４４は、挿入片４６と対向する長方形状のサポート片４８と、連結バー４０の下面４０ｕに固定される補強プレート部（補強部材）４９と、を備えて形成されている。この第二金具部材４４は、金属プレートを折り曲げ加工することで形成できる。
サポート片４８の先端部４８ｃの近傍には、ネジ孔４７よりも内径が若干大きな貫通孔５５が形成されている。
【００３１】
補強プレート部４９は、サポート片４８の幅方向両側から、それぞれサポート片４８に直交する略平行な方向に延びるよう形成されている。
補強プレート部４９は、サポート片４８の基端部４８ｂからサポート片４８に直交する方向に延びる直線部４９ａを有している。そして、この補強プレート部４９は、直線部４９ａから、サポート片４８の先端部４８ｃ側の端部４９ｂに向けて、サポート片４８に直交する方向の長さが漸次小さくなる断面略三角形状をなしている。
【００３２】
図６、図７に示すように、上記第二金具部材４４は、サポート片４８を挿入片４６と対向させた状態で、補強プレート部４９，４９の直線部４９ａ，４９ａが連結バー４０の下面４０ｕに溶接されている。
図６に示すように、サポート片４８は、連結バー４０の下面４０ｕに直交し、挿入片４６に対向する側のサポート面４８ａが、連結バー４０の端面４０ｅと同一面内に位置するよう配置されている。これにより、サポート片４８と挿入片４６との間には、前記の間隔ｃが形成されている。
また、図７に示すように、補強プレート部４９，４９は、切欠き部４２の幅ｗよりも若干大きな間隔で対向するよう形成されている。これにより、補強プレート部４９，４９は、切欠き部４２に対してその両側にオフセットした位置で、連結バー４０の下面４０ｕに溶接されている。
【００３３】
図５に示すように、このような係止金具４１により連結バー４０が係止される支柱１２の上端部には、被係止部５０として、支柱１２の側面１２ａ，１２ａの上端部に形成された凹部５１と、凹部５１よりも所定寸法下方側に形成された貫通孔５２と、が形成されている。
ここで、凹部５１は、第一金具部材４３の本体部４５のベースプレート部４５ａが収容できるよう、ベースプレート部４５ａの幅および厚さに合わせた幅ｗ４，深さｄ１を有して形成されている。この凹部５１の幅ｗ４は、ベースプレート部４５ａが幅方向にガタつかないよう、なるべく小さくするのが好ましい。凹部５１の深さｄ１は、大きくなればなるほど、支柱１２の上端部における剛性が低下するため、なるべく小さくするのが好ましい。
【００３４】
図６に示すように、連結バー４０を支柱１２の上端部に連結するには、連結バー４０に対して挿入片４６、サポート片４８を、支柱１２の上端部側に向けた状態で接近させる。そして、図１１に示すように、連結バー４０の係止金具４１の挿入片４６を支柱１２の内部空間に挿入し、挿入片４６とサポート片４８との間に支柱１２の側面１２ａの上端部を差し込む。そして、第一金具部材４３において本体部４５のベースプレート部４５ａが支柱１２の上端部の凹部５１に収まるまで、連結バー４０を差し込んでいく。
【００３５】
すると、支柱１２の側面１２ａは、挿入片４６と、サポート片４８および連結バー４０の端面４０ｅとの間に挟み込まれ、挿入片４６が支柱１２の内周面１２ｉに沿い、サポート片４８が支柱１２の外周面１２ｊに沿った状態となる。これにより、連結バー４０の両側の端部４０ａ，４０ａが、係止金具４１によって、支柱１２の上端部に仮係止された状態となる。
【００３６】
この仮係止状態で、挿入片４６のネジ孔４７と、支柱１２の貫通孔５２と、サポート片４８の貫通孔５５とが合致するようになっているので、サポート片４８側から固定ボルト（締結部材）５６を貫通孔５５，５２に通してネジ孔４７にねじ込む。これによって、連結バー４０と支柱１２とが、第一金具部材４３と第二金具部材４４とからなる係止金具４１によって連結され、連結バー４０が支柱１２に本係止された状態となる。このようにして、上部連結材１４が支柱１２，１２の上端部の間に連結される。
【００３７】
なお、連結バー４０が係止金具４１によって係止された支柱１２の上端部の開口には、キャップを装着することもできる。
【００３８】
上述したような構成によれば、連結バー４０の両側の端部４０ａ，４０ａに、支柱１２の肉厚に応じた間隔ｃを隔てて対向する挿入片４６とサポート片４８とが設けられ、これら挿入片４６とサポート片４８の間に支柱１２の側面１２ａを差し込むことによって、連結バー４０を支柱１２に仮係止することができる。この状態で、挿入片４６が支柱１２の側面１２ａの内周面１２ｉに沿い、サポート片４８および連結バー４０の端面４０ｅが支柱１２の外周面１２ｊに沿っているため、連結バー４０と支柱１２は安定的に仮係止状態が維持される。これによって、その後の固定ボルト５６のねじ込み時に連結バー４０がずれることもなく、作業を容易に行うことができる。
また、サポート片４８は、連結バー４０と支柱１２の交差部を補強する補強プレート部４９を一体に備えているので、本係止後においては、連結バー４０と支柱１２とを強固に連結することができる。このようにして、物品陳列棚１０を強固で耐震性に優れたものとすることができる。
【００３９】
加えて、支柱１２内に挿入される挿入片４６には、ネジ孔４７が形成されており、固定ボルト５６は、支柱１２の外周側からネジ孔４７にねじ込むようになっている。したがって、締結作業時に支柱１２内にボルトやナットを挿入する必要がなく、作業を容易かつ確実に行うことができる。
【００４０】
また、連結バー４０の端部４０ａに切欠き部４２を形成したことにより、第一金具部材４３の本体部４５を連結バー４０の内周部上面４０ｄにスポット溶接するに際し、電極を確実に本体部４５に突き当てることができ、溶接作業を確実に行える。また、第二金具部材４４は、補強プレート部４９，４９の直線部４９ａ，４９ａが切欠き部４２の両側で連結バー４０の下面４０ｕに溶接されており、第二金具部材４４の連結バー４０への溶接作業も確実に行える。
【００４１】
（その他の実施形態）
なお、本発明の物品陳列棚は、図面を参照して説明した上述の各実施形態に限定されるものではなく、その技術的範囲において様々な変形例が考えられる。
例えば、上記実施形態では、連結バー４０に、第一金具部材４３、第二金具部材４４を溶接するようにしたが、連結バー４０の端部４０ａに挿入片４６とサポート片４８とが形成されるのであれば、いかなる構造としても良い。例えば、挿入片４６を、連結バー４０に一体に形成しても良い。このようにすると、第一金具部材４３の本体部４５を不要とすることができる。この場合、本体部４５を溶接する必要もないことから、切欠き部４２も省略できる。
第二金具部材４４も、サポート片４８と補強プレート部４９，４９とを折り曲げ加工により一体化して形成したが、例えば、サポート片４８と、連結バー４０の下面４０ｕに沿うプレートとをＬ字状に配置し、サポート片４８とプレートとの間に補強プレート部４９を設ける等、適宜他の構成とすることもできる。また、補強プレート部４９に代えて、ブレース状の部材を設けても良い。
【００４２】
また、挿入片４６にネジ孔４７を形成するようにしたが、これに代えて、挿入片４６にウェルドナットを溶接しても良い。さらには、締結部材として固定ボルト５６を用い、被締結部としてネジ孔４７を形成するようにしたが、締結部材を、挿入片４６、支柱１２の側面１２ａを貫通させ、サポート片４８に形成された被締結部に締結できるのであれば、他のいかなる形式のものを用いても良い。
【００４３】
また、連結バー４０の端部４０ａの下面４０ｕに切欠き部４２を設けたが、この切欠き部４２に代えて、下面４０ｕに開口部を形成するようにしても良い。
【００４４】
さらに、物品陳列棚１０を構成する各部の構成、例えば下部連結材１３の連結構造等については、上記に示した構成に限らず、他の様々な構成を採用することが可能である。
また、例えば、支柱１２には、係止孔１６を利用することで、棚板に限らず他の様々なオプション部品を装着することができる。
さらに、上記実施形態では、物品陳列棚１０は、二本の支柱１２，１２のみを備える構成としたが、三本以上の支柱１２を併設し、互いに隣接する二本の支柱１２，１２間を下部連結材１３、上部連結材１４で連結して棚板を設けるようにしても良い。
これ以外にも、本発明の主旨を逸脱しない限り、上記実施の形態で挙げた構成を取捨選択したり、他の構成に適宜変更することが可能である。
【符号の説明】
【００４５】
１０  物品陳列棚
１１  ベース脚
１２  支柱
１２ａ  側面
１２ｆ，１２ｒ  前後面
１２ｉ  内周面
１２ｊ  外周面
１３  下部連結材
１４  上部連結材
１５  パッド
１６  係止孔
１９  キックプレート
２０  被係止部
２１  スリット
２２  貫通孔
２３  ボルト
２４  ナット
３０  連結バー
３１  係止フック
３２  溝
３５  連結金具
３６  プレート部
３６ａ  一端
３６ｂ  他端
３７  補強プレート部
３８  突起
３９  貫通孔
４０  連結バー
４０ａ  端部
４０ｂ  管内
４０ｃ  内周部底面
４０ｄ  内周部上面
４０ｅ  端面
４０ｕ  下面
４１  係止金具（係止部）
４２  切欠き部
４３  第一金具部材
４４  第二金具部材
４５  本体部
４５ａ  ベースプレート部
４５ｂ  サイドプレート部
４６  挿入片
４６ｂ  先端部
４７  ネジ孔（被締結部）
４８  サポート片
４８ａ  サポート面
４８ｂ  基端部
４８ｃ  先端部
４９  補強プレート部（補強部材）
４９ａ  直線部
４９ｂ  端部
５０  被係止部
５１  凹部
５２  貫通孔
５５  貫通孔
５６  固定ボルト（締結部材）
６０  キャップ
ｃ  間隔
【図１】
2014079272.tif 000003
【図２】
2014079272.tif 000004
【図３】
2014079272.tif 000005
【図４】
2014079272.tif 000006
【図５】
2014079272.tif 000007
【図６】
2014079272.tif 000008
【図７】
2014079272.tif 000009
【図８】
2014079272.tif 000010
【図９】
2014079272.tif 000011
【図１０】
2014079272.tif 000012
【図１１】
2014079272.tif 000013